(57)【要約】【課題】他人の手を借りずに自分の背中のマッサージをすることができる手動式マッサージ器を提供する。【解決手段】マッサージ器本体２は、繋止具２１、２２を有するシャフト部２３に歯車状回転ローラー対３１、３２を回転自在に緩装し、繋止具２１、２２の一端にそれぞれ伸縮しない素材よりなる繋引ロープ４１、４２及び、他端に伸縮自在な素材よりなる伸縮ロープ５１、５２を固着し、伸縮ロープ５１、５２の自由端に固定具６を固着している。固定具６を臀部に敷いてマッサージ器本体２を背中に当てて繋引ロープ４１、４２を両手で引っ張ったり緩めたりすると歯車状回転ローラー３１１、３２１は背中上で回転してマッサージ効果を与える。【選択図】 図１
0003211087.tif 000002
【実用新案登録請求の範囲】
【請求項１】
左右両端に第１繋止具及び第２繋止具をそれぞれ有するシャフト部、該シャフト部に回転
自在に緩装した２個一組の第１歯車状回転ローラー対、上記第１歯車状回転ローラー対と
若干距離をおいて上記シャフト部に回転自在に緩装した２個一組の第２歯車状回転ローラ
ー対、上記第１繋止具の一端に固着した伸縮しない素材よりなる第１繋引ロープ、上記第
１繋止具の他端に固着した伸縮自在な素材よりなる第１伸縮ロープ、上記第２繋止具の一
端に固着した伸縮しない素材よりなる第２繋引ロープ、上記第２繋止具の他端に固着した
伸縮自在な素材よりなる第２伸縮ロープ、及び上記第１伸縮ロープ及び上記第２伸縮ロー
プの自由端に固着された固定具とよりなることを特徴とする手動式マッサージ器。
【請求項２】
上記第１伸縮ロープ及び上記第２伸縮ロープの自由端を連結し、その連結部分に上記固定
具を固着し、上記第１伸縮ロープ及び上記第２伸縮ロープによってV字状が形成されるよ
うに構成することを特徴とする請求項１に記載の手動式マッサージ器。
【請求項３】
上記第１伸縮ロープ及び上記第２伸縮ロープの自由端を棒状の固定具の両端にそれぞれ接
続して、上記第１伸縮ロープ、上記棒状の固定具及び上記第２伸縮ロープによってU字状
が形成されるように構成することを特徴とする請求項１に記載の手動式マッサージ器。
【請求項４】
上記第１繋止具と上記第１歯車状回転ローラー対の間、上記第１歯車状回転ローラー対と
上記第２歯車状回転ローラー対の間及び上記第２歯車状回転ローラー対と上記第２繋止具
との間にそれぞれチューブ状のスペーサーを上記シャフト部上に被せたことを特徴とする
請求項１に記載の手動式マッサージ器。
【請求項５】
上記第１歯車状回転ローラー対及び上記第２歯車状回転ローラー対は、硬質ゴム、硬質プ
ラスチックス及び木材の群から選ばれた何れか一つの材料から形成されたことを特徴とす
る請求項１に記載の手動式マッサージ器。
【考案の詳細な説明】
【技術分野】
【０００１】
本考案は、手動式マッサージ器、特に、他人の手を借りずに自分の背中のマッサージをす
ることができる手動式マッサージ器に関する。
【背景技術】
【０００２】
複数の歯車状回転ローラーを台板に取り付けた手動式マッサージ器は既に各種の様式のも
のが市販されている。
本考案者も３つの歯車状回転ローラーを台板に位取り付けた手動式マッサージ器を提案し
た（登録実用新案第３０４２８６５号参照）。
【先行技術文献】
【特許文献】
【０００３】
【特許文献１】登録実用新案第３０４２８６５号公報。
【考案の概要】
【考案が解決しようとする課題】
【０００４】
上記登録実用新案第３０４２８６５号公報に開示されている手動式マッサージ器は体の前
面や首筋などに対しては片手で効果的に又容易にマッサージを行うことができる。しかし
、自分の背中に対しては他人の手を借りなければマッサージを行うことができないという
欠点がある。
本考案は自分の背中を他人の手を借りないでマッサージすることができるマッサージ器を
提供することを目的とする。
【課題を解決するための手段】
【０００５】
本考案の手動式マッサージ器は、左右両端に第１繋止具及び第２繋止具をそれぞれ有する
シャフト部、該シャフト部に回転自在に緩装した２個一組の第１歯車状回転ローラー対、
上記第１歯車状回転ローラー対と若干距離をおいて上記シャフト部に回転自在に緩装した
２個一組の第２歯車状回転ローラー対、上記第１繋止具の一端に固着した伸縮しない素材
よりなる第１繋引ロープ、上記第１繋止具の他端に固着した伸縮自在な素材よりなる第１
伸縮ロープ、上記第２繋止具の一端に固着した伸縮しない素材よりなる第２繋引ロープ、
上記第２繋止具の他端に固着した伸縮自在な素材よりなる第２伸縮ロープ、及び上記第１
伸縮ロープ及び上記第２伸縮ロープの自由端に固着された固定具とよりなることを特徴と
する。
【０００６】
上記第１繋引ロープ及び上記第２繋引ロープの先端にはそれぞれ 革製、柔らかいプラス
チック製又は桐板製の把持具が固着されている。
【０００７】
上記伸縮ロープとしてはゴム紐、ゴム紐の上にプラスチック製の筒状保護外被を被せた通
称織ゴムといわれる紐状弾性体を使用することができる。何れの伸縮ロープにおいても伸
び率は少なくとも２００％以上あるものを使用することを推奨する。
【０００８】
上記第１歯車状回転ローラー対及び上記第２歯車状回転ローラー対の歯車状回転ローラー
は幅広のローラーの円周上に突端が丸くなった歯を８個乃至１２個、特に好ましくは１０
個有する。歯車状回転ローラーの標準的な寸法は幅約１．８ｃｍ、直径約４ｃｍのものが
好ましい。
また、この４個の歯車状回転ローラーはシャフト部に回転自在に緩装されているが、この
緩装の状態は、シャフト部の直径に対して回転ローラの回転孔の内径を約１ｍｍ〜２ｍｍ
大きくすることが好ましい。このように、極めて緩く嵌め込まれているので、マッサージ
器を背中に当てて上下にこする場合、各回転ローラーは左右に揺れて蛇行状態で回転する
。
【０００９】
上記固定具としては短い棒状の固定具を使用し、上記第１伸縮ロープ及び上記第２伸縮ロ
ープの自由端を連結し、その連結部分に上記固定具を固着し、上記第１伸縮ロープ及び上
記第２伸縮ロープによってV字状が形成されるように構成することができる。このように
上記第１伸縮ロープ及び上記第２伸縮ロープの自由端を連結するということは、上記第１
伸縮ロープと上記第２伸縮ロープとを連結した長さを有する1本のロープを使用すること
もできる。その際は1本のロープの中間に上記固定具を針金等で固着すればよい。
【００１０】
上記固定具は一本の短い棒状の固定具を例示することができるが、その他任意の形状の固
定具、即ち、この固定具を臀部の下に敷いて伸縮ロープを引っ張った場合、その張力に耐
えて伸縮ロープの一端を臀部の下に保持できる形状のもの、例えば、任意形状の板状のも
の、任意形状の布製品、任意形状の革製品、任意形状の柔軟なプラスチック製品、例えば
スポンジ状の物等も使用できる。板状のものとしては桐材で作成した固定具が丈夫で感触
が柔らかくて好ましい。布製品又は革製品の固定具は、ハンカチ大にしてその一端にホッ
クや面フアスナー［マジックテープ（登録商標）]を取り付ければ、本考案のマッサージ
器を仕舞う場合、この布又は革の固定具でマッサージ器本体をくるんで端部のホック又は
面フアスナーで固定すれば、きれいに仕舞うことができる。
【００１１】
上記固定具の別の形態としては、長い棒状の固定具を使用し、上記第１伸縮ロープ及び上
記第２伸縮ロープの自由端を棒状の固定具の両端にそれぞれ接続して、上記第１伸縮ロー
プ、上記棒状の固定具及び上記第２伸縮ロープによってU字状が形成されるように構成す
ることもできる。この長い棒状の固定具として、中空のパイプを使用した場合は上記第１
伸縮ロープ及び上記第２伸縮ロープの自由端を連結し、即ち１本の長い伸縮ロープを使用
して、長い伸縮ロープの一端を上記第１繋止具の一端に連結し、上記中空のパイプ状の固
定具の中を通した後上記第２繋止具の一端に連結しても同様の形状を形成することができ
る。
【００１２】
上記第１繋止具と上記第１歯車状回転ローラー対の間、上記第１歯車状回転ローラー対と
上記第２歯車状回転ローラー対の間及び上記第２歯車状回転ローラー対と上記第２繋止具
との間にそれぞれチューブ状のスペーサーを上記シャフト部上に被せて、上記第１歯車状
回転ローラー対及び上記第２歯車状回転ローラー対がシャフト部上で左右に移動しないよ
うにする。
【００１３】
上記第１歯車状回転ローラー対及び上記第２歯車状回転ローラー対は、硬質ゴム、硬質プ
ラスチックス及び木材の群から選ばれた何れか一つの材料から形成されることができる。
硬質ゴム及び硬質プラスチックスは硬度７０〜８０度のものが好ましい。硬質ゴムの場合
はローラーの回転孔の内面が摩耗しやすいので内面にチューブ状のプラスチック製のカラ
ーを嵌め込むとよい。
【００１４】
本考案の手動式マッサージ器は患者自身が人手を借りないで背中をマッサージできるよう
に考案されたものであるが、患者自身が自分の体の前部分や首筋などをマッサージするこ
とも可能である。そのためには、マッサージ器本体に手で握るための保持部を設ければよ
り使用しやすくなる。例えば、第１歯車状回転ローラー対及び第２歯車状回転ローラー対
の間のシャフト部に棒状の保持部を突設して設けたり、第１繋止具及び第２繋止具にまた
がるようにアーチ状の保持部を設けてもよい。棒状の保持具の場合はこのマーサージ器を
ハンドバック等に収納する場合邪魔になるので、棒状の保持具の一端をねじ状に加工し、
そのねじ部をシャフト部に設けたねじ穴に挿入し着脱自在にすることが望ましい。アーチ
状の保持具の場合も、その両足部に回転孔を設け、これをシャフト部の先端に通して回転
自在に支承すれば、仕舞う時にアーチ状保持具を繋止具の長手方向に回動させれば、仕舞
う場合に邪魔にならない。勿論、アーチ状保持具を起立させた場合に、その回動を阻止す
るための弾性材より成る回動阻止具を設けることが好ましい。
【考案の効果】
【００１５】
（１）本考案の手動式マッサージ器は、左右両端に第１繋止具及び第２繋止具をそれぞれ
設けたシャフト部、該シャフト部に回転自在に緩装した２個一組の第１歯車状回転ローラ
ー対、上記第１歯車状回転ローラー対と若干距離をおいて上記シャフト部に回転自在に緩
装した２個一組の第２歯車状回転ローラー対よりなるマッサージ器本体の一端に、２本の
伸縮しない素材よりなる第１繋引ロープ及び第２繋引ロープを取り付け、マッサージ器本
体の他端に２本の伸縮自在な素材よりなる第１伸縮ロープ及び第２伸縮ロープを取り付け
、第１伸縮ロープ及び第２伸縮ロープの自由端に固定具を固着しているので、固定具を患
者の臀部の下に敷いて固定し、マッサージ器本体を背中に当てて、第１繋引ロープ及び第
２繋引ロープを体の前で両手で引っ張ると、マッサージ器本体は、第１伸縮ロープ及び第
２伸縮ロープの張力に抗して上方に移動し、次に引っ張る手の力を緩めると第１伸縮ロー
プ及び第２伸縮ロープの張力によってマッサージ器本体は下方に移動する。この操作を繰
り返すと、マッサージ器本体は上下に移動し、それに伴って、第１歯車状回転ローラー対
及び第２歯車状回転ローラー対は回転して、患者の患部を摩擦しマッサージ効果をもたら
す。このように本考案のマッサージ器を使用すれば、患者本人が他人の手を借りずに自分
の背中をマッサージすることができる。
【００１６】
（２）本考案の手動式マッサージ器は、２個一組の第１歯車状回転ローラー対及び２個一
組の第２歯車状回転ローラー対が、若干距離をおいてシャフト部に回転自在に緩装されて
いるので、人間の脊髄の両側にある筋肉にヒットするようになっている。さらに、歯車状
回転ローラーは２個一組になっているので、若干間隔を置いて配列された２つの歯車状回
転ローラーの歯がこった筋肉をもみほぐすのに効果的にヒットすることができる。
さらに、この４個の歯車状回転ローラーはシャフト部に回転自在に緩装すなわち緩く嵌め
込まれているので、マッサージ器を背中に当てて上下にこすった場合、各回転ローラーは
左右に揺れて蛇行状態で回転するため、筋肉のこりをほぐす効果が大きくなる。
【００１７】
（３）本考案の手動式マッサージ器は、マッサージ器本体の長さが約１４ｃｍ、幅が約８
ｃｍ、高さが約４ｃｍと小型であるので、ご婦人用のハンドバックに容易に収容できて、
携帯に便利で、しかも、座れる場所があれば、どこでも容易にマッサージを行うことがで
きるという効果がある。
【図面の簡単な説明】
【００１８】
【図１】本考案の手動式マッサージ器の平面図。
【図２】第１図の要部の斜視図。
【図３】第２図の側面図
【図４】第３図Ａ−Ａ線による縦断面図。
【図５】本考案の他の実施例の一部を示す説明図。
【図６】本考案の使用方法を示す説明図。
【図７】本考案の使用方法を示す説明図。
【考案を実施するための形態】
【００１９】
本考案の最良の実施形態を次の実施例によって説明する。
【実施例１】
【００２０】
図１〜図３に示されるように、本考案の手動式マッサージ器１のマッサージ器本体２は左
右両端に第１繋止具２１及び第２繋止具２２をそれぞれ有するシャフト部２３、シャフト
部２３に回転自在に緩装した２個一組の第１歯車状回転ローラー対３１、第１歯車状回転
ローラー対３１と若干距離をおいてシャフト部２３に回転自在に緩装した２個一組の第２
歯車状回転ローラー対３２、第１繋止具２１の一端に固着した伸縮しない素材よりなる第
１繋引ロープ４１、第１繋止具２１の他端に固着した伸縮自在な素材よりなる第１伸縮ロ
ープ５１、第２繋止具２２の一端に固着した伸縮しない素材よりなる第２繋引ロープ４２
、第２繋止具２２の他端に固着した伸縮自在な素材よりなる第２伸縮ロープ５２、及び第
１伸縮ロープ５１及び第２伸縮ロープ５２の自由端に固着された固定具６とよりなる。
【００２１】
第１歯車状回転ローラー対３１は歯車状回転ローラ３１１が２個一組として、シャフト部
２３に回転自在に緩装されている。第２歯車状回転ローラー対３２も同様に歯車状回転ロ
ーラ３２１が２個一組として、シャフト部２３に回転自在に緩装されている。なお、図３
中の２８は、棒状の保持部を取り付けるためのねじ孔である。
【００２２】
図４に示されるように、歯車状回転ローラ３１１及び歯車状回転ローラ３２１はいずれも
その回転孔の内面に摩耗防止用のプラスチック製のチューブ状のカラー３３，３４がそれ
ぞれ嵌め込まれている。
【００２３】
シャフト部２３には２個一組として第１歯車状回転ローラー対３１及び第２歯車状回転ロ
ーラー対３２が回転自在に緩装されているが、第１繋止具２１と第１歯車状回転ローラー
対３１の間にはチューブ状のスペーサー２４が、第１歯車状回転ローラー対３１と第２歯
車状回転ローラー対３２の間にはやや長めのチューブ状のスペーサー２５が、第２歯車状
回転ローラー対３２と第２繋止具２２との間にはチューブ状のスペーサー２６がそれぞれ
緩装されて、第１歯車状回転ローラー対３１と第２歯車状回転ローラー対３２の位置が動
かないようにしている。
【００２４】
第１歯車状回転ローラー対３１の回転ローラ３１１及び第２歯車状回転ローラー対３２の
回転ローラ３２１は、硬質ゴム、硬質プラスチックス又は木材から造られている。図３に
示されるように、回転ローラ３１１及び３２１はその周面に先端が丸く加工された歯３８
が１２個設けられている。
【００２５】
図１及び図４に示される伸縮しない素材よりなる第１繋引ロープ４１はその一端を第１繋
止具２１の一端に設けられた通孔２１１に通し折り返してアルミ製の針金４１１等で結束
して固定されている。第１繋引ロープ４１の他端には革製又は桐材製等の把持具４３が固
着されている。第２繋引ロープ４２も同様にその一端を第２繋止具２２の一端に設けられ
た通孔２２１に通し折り返してアルミ製の針金４２１等で結束して固定されている。第２
繋引ロープ４２の他端には革製又は桐材製等の把持具４４が固着されている。
【００２６】
この実施例では第１伸縮ロープ５１と第２伸縮ロープ５２は１本の連続した織ゴムよりな
る伸縮ロープより構成されている。第１伸縮ロープ５１の一端は第１繋止具２１の他端に
設けられた通孔２１２に通し折り返してアルミ製の針金５１１等で結束して固定されてい
る。第２伸縮ロープ５２も同様にその一端を第２繋止具２２の他端に設けられた通孔２２
２に通し折り返してアルミ製の針金５２１等で結束して固定されている。第１伸縮ロープ
５１と第２伸縮ロープ５２との接続点には短い棒状の固定具６がアルミ製の針金６１を捲
回して取り付けられている。このように短い固定具６を使用することにより、女性用ハン
ドバッグにも容易に納めることができる。
【実施例２】
【００２７】
図５は他の実施例を示すもので、マッサージ器本体２及び繋引ロープ４１，４２は実施例
１と同じ構造を有する。第１伸縮ロープ５１と第２伸縮ロープ５２は１本の連続した織ゴ
ムよりなる伸縮ロープより構成されている。７は固定具で１８ｃｍ程度の長い中空のパイ
プより構成されていて、その中空のパイプの中に伸縮ロープを通して固定する。その結果
、第１伸縮ロープ５１、固定具７，第２伸縮ロープ５２でU字状が形成される。このよう
に長い固定具７を使用することにより、臀部の下に敷いて固定する際外れにくくなる。
【００２８】
本考案の手動式マッサージ器の使用法を述べる。
図６及び図７に示すように、固定具６を臀部の下に敷き、背中にマッサージ器本体２を当
て、左右の手で第１繋引ロープ４１の把持具４３及び第２繋引ロープ４２の把持具４４を
握り、強く前に牽けば、第１伸縮ロープ５１及び第２伸縮ロープ５２は伸張し、第１歯車
状回転ローラー対３１及び第２歯車状回転ローラー対３２は回転してその歯３８の先端で
背中に刺激を与える。両手の力を緩めると、マッサージ器本体２は第１伸縮ロープ５１及
び第２伸縮ロープ５２によって下方に引っ張られ、第１歯車状回転ローラー対３１及び第
２歯車状回転ローラー対３２は逆方向に回転して、その歯３８で背中に刺激を与える。こ
の方法を繰り返すことにより、マッサージ器本体２の第１歯車状回転ローラー対３１及び
第２歯車状回転ローラー対３２によって背中の患部にマッサージ効果を与えることができ
る。
【符号の説明】
【００２９】
１  マッサージ器
２  マッサージ器本体
２１  第１繋止具
２２  第２繋止具
２３  シャフト部
３１  第１歯車状回転ローラー対
３２  第２歯車状回転ローラー対  
４１  第１繋引ロープ
４２  第２繋引ロープ
５１  第１伸縮ロープ
５２  第２伸縮ロープ
６  固定具
【図１】
0003211087.tif 000003
【図２】
0003211087.tif 000004
【図３】
0003211087.tif 000005
【図４】
0003211087.tif 000006
【図５】
0003211087.tif 000007
【図６】
0003211087.tif 000008
【図７】
0003211087.tif 000009